(57)【要約】【課題】自動的に減じられた表示に対応付けられている機能を忘れても、自動的に表示を復帰させる電子機器を提供する。【解決手段】電子機器１は、操作位置に応じて異なる操作信号を発する操作部材１７ａと、情報を表示する表示部材１７と、複数の操作位置ごとに対応付けられている機能を示す複数の表示をそれぞれ表示するように表示部材１７を制御する表示制御手段２０と、操作位置ごとに操作部材１７ａの操作回数を計数する計数手段２０と、操作部材１７ａが発する操作信号、および所定の経過時間の少なくとも一方が所定の減少条件を満たした場合に、計数結果に応じて機能を示す表示の数を削減し、表示の数を削減した以降の経過時間が所定の第１復帰条件を満たした場合に表示の数を復帰するように表示制御手段２０へ指示する指示手段２０とを備える。【選択図】図１
2010176460.tif 000002
【特許請求の範囲】
【請求項１】
操作位置に応じて異なる操作信号を発する操作部材と、
情報を表示する表示部材と、
複数の前記操作位置ごとに対応付けられている機能を示す複数の表示をそれぞれ表示するように前記表示部材を制御する表示制御手段と、
前記操作位置ごとに前記操作部材の操作回数を計数する計数手段と、
前記操作部材が発する操作信号、および所定の経過時間の少なくとも一方が所定の減少条件を満たした場合に、前記計数結果に応じて前記機能を示す表示の数を削減し、前記表示の数を削減した以降の経過時間が所定の第１復帰条件を満たした場合に前記表示の数を復帰するように前記表示制御手段へ指示する指示手段とを備えることを特徴とする電子機器。
【請求項２】
請求項１に記載の電子機器において、
前記表示制御手段は、前記表示の数を削減する場合に、残される表示のサイズを大きく変更するように前記表示部材を制御することを特徴とする電子機器。
【請求項３】
請求項１に記載の電子機器において、
前記表示制御手段は、前記表示の数を削減する場合に、少なくとも所定数の表示を残すように前記表示部材を制御することを特徴とする電子機器。
【請求項４】
請求項１に記載の電子機器において、
前記指示手段は、前記表示の数を復帰した以降に、再び前記操作部材が発する操作信号、および所定の経過時間の少なくとも一方が所定の減少条件を満たした場合に、前記計数結果に応じて前記機能を示す表示の数を削減するように前記表示制御手段へ指示することを特徴とする電子機器。
【請求項５】
請求項１に記載の電子機器において、
前記表示制御手段は、前記復帰する表示の態様を前記削減する前の表示の態様と異ならせることを特徴とする電子機器。
【請求項６】
請求項１に記載の電子機器において、
前記指示手段は、 前記操作部材が発する操作信号が所定の第２復帰条件を満たした場合には、前記経過時間が前記第１復帰条件を満たす前でも前記表示の数を復帰するように前記表示制御手段へ指示することを特徴とする電子機器。
【請求項７】
撮像装置と、
操作位置に応じて異なる操作信号を発する操作部材と、
情報を表示する表示部材と、
複数の前記操作位置ごとに対応付けられている機能を示す複数の表示をそれぞれ表示するように前記表示部材を制御する表示制御手段と、
前記操作位置ごとに前記操作部材の操作回数を計数する第１計数手段と、
前記撮像装置による撮影枚数を計数する第２計数手段と、
前記計数された撮影枚数、前記操作部材が発する操作信号、および所定の経過時間の少なくとも１つが所定の減少条件を満たした場合に、前記計数された操作回数に応じて前記機能を示す表示の数を削減し、前記表示の数を削減した以降の経過時間が所定の第１復帰条件を満たした場合、または前記表示の数を削減した以降に前記計数された撮影枚数が所定の第２復帰条件を満たした場合に前記表示の数を復帰するように前記表示制御手段へ指示する指示手段とを備えることを特徴とするカメラ。
【発明の詳細な説明】
【技術分野】
【０００１】
本発明は、電子機器およびカメラに関する。
【背景技術】
【０００２】
タッチパネル方式の操作表示部に画面表示されているアイコンについて、使用頻度が低いアイコンを消去し、該消去したアイコンを復帰表示させるためのアイコンを表示させる技術が知られている。
【先行技術文献】
【特許文献】
【０００３】
【特許文献１】特開２００３−７６２２２号公報
【発明の概要】
【発明が解決しようとする課題】
【０００４】
従来技術では、消去されているアイコンの内容を忘れてしまい、当該アイコンによって示される機能を有効活用できなくなるというおそれがあった。
【課題を解決するための手段】
【０００５】
（１）本発明による電子機器は、操作位置に応じて異なる操作信号を発する操作部材と、情報を表示する表示部材と、複数の操作位置ごとに対応付けられている機能を示す複数の表示をそれぞれ表示するように表示部材を制御する表示制御手段と、操作位置ごとに操作部材の操作回数を計数する計数手段と、操作部材が発する操作信号、および所定の経過時間の少なくとも一方が所定の減少条件を満たした場合に、計数結果に応じて機能を示す表示の数を削減し、表示の数を削減した以降の経過時間が所定の第１復帰条件を満たした場合に表示の数を復帰するように表示制御手段へ指示する指示手段とを備えることを特徴とする。
（２）本発明によるカメラは、撮像装置と、操作位置に応じて異なる操作信号を発する操作部材と、情報を表示する表示部材と、複数の操作位置ごとに対応付けられている機能を示す複数の表示をそれぞれ表示するように表示部材を制御する表示制御手段と、操作位置ごとに操作部材の操作回数を計数する第１計数手段と、撮像装置による撮影枚数を計数する第２計数手段と、計数された撮影枚数、操作部材が発する操作信号、および所定の経過時間の少なくとも１つが所定の減少条件を満たした場合に、計数された操作回数に応じて機能を示す表示の数を削減し、表示の数を削減した以降の経過時間が所定の第１復帰条件を満たした場合、または表示の数を削減した以降に計数された撮影枚数が所定の第２復帰条件を満たした場合に表示の数を復帰するように表示制御手段へ指示する指示手段とを備えることを特徴とする。
【発明の効果】
【０００６】
本発明によれば、自動的に減じられた表示に対応付けられている機能を忘れても、自動的に表示を復帰させることができる。
【図面の簡単な説明】
【０００７】
【図１】本発明の一実施の形態による電子カメラの構成例を説明するブロック図である。
【図２】電子カメラの背面図である。
【図３】メニュー画面を例示する図である。
【図４】アイコン数を減少させたメニュー画面を例示する図である。
【図５】ＣＰＵが行うアイコン制御処理の詳細について説明するフローチャートである。
【発明を実施するための形態】
【０００８】
以下、図面を参照して本発明を実施するための最良の形態について説明する。図１は、本発明の一実施の形態による電子カメラ１の構成例を説明するブロック図である。図１において、電子カメラ１は、撮影光学系１２と、撮像素子１３と、ＡＦＥ(Analog front end)回路１４と、画像処理回路１５と、ＬＣＤモニタ１７と、バッファメモリ１８と、フラッシュメモリ１９と、ＣＰＵ２０と、メモリカードインターフェース(I/F)２１と、操作部材２２とを備える。
【０００９】
ＣＰＵ２０、バッファメモリ１８、フラッシュメモリ１９、メモリカードインターフェース２１、画像処理回路１５、およびＬＣＤモニタ１７は、それぞれがバス１６を介して接続されている。
【００１０】
撮影光学系１２は、ズームレンズやフォーカシングレンズを含む複数のレンズ群で構成され、被写体像を撮像素子１３の受光面に結像させる。なお、図１を簡単にするため、撮影光学系１２を単レンズとして図示している。
【００１１】
撮像素子１３は、受光素子が受光面に二次元配列されたＣＣＤイメージセンサ、またはＣＭＯＳイメージセンサなどによって構成される。撮像素子１３は、撮影光学系１２を通過した光束による被写体像を光電変換してアナログ画像信号を生成する。アナログ画像信号は、ＡＦＥ回路１４に入力される。
【００１２】
ＡＦＥ回路１４は、アナログ画像信号に対して相関二重サンプリングやゲイン調整などのアナログ処理を行うとともに、アナログ処理後の画像信号をデジタル画像データに変換する。デジタル画像データは画像処理回路１５に入力される。画像処理回路１５は、デジタル画像データに対して各種の画像処理（ホワイトバランス調整処理、画像圧縮処理、画像伸張処理など）を施す。
【００１３】
ＬＣＤモニタ１７は液晶表示パネルによって構成され、ＣＰＵ２０からの指示に応じて画像や操作アイコンなどを表示する。ＬＣＤモニタ１７の表示面上にはタッチ操作部材１７ａが積層されている。タッチ操作部材１７ａは、ユーザーによってタッチ操作された場合に液晶モニタ１７の表示画面上のタッチ位置を示す信号を発生し、ＣＰＵ２０へ送出する。
【００１４】
バッファメモリ１８は、画像処理回路１５によって画像処理される前、画像処理中、画像処理された後のデジタル画像データを一時的に記憶する。フラッシュメモリ１９は、ＣＰＵ２０に実行させるプログラムを記憶する。
【００１５】
ＣＰＵ２０は、フラッシュメモリ１９が記憶するプログラムを実行することによって電子カメラ１が行う動作を制御する。ＣＰＵ２０は、ＡＦ（オートフォーカス）動作制御や、自動露出（ＡＥ）演算も行う。ＡＦ動作は、たとえば、ライブビュー画像のコントラスト情報に基づいてフォーカシングレンズ（不図示）の合焦位置を求めるコントラスト検出方式を用いる。ライブビュー画像は、撮影指示前に撮像素子１３によって所定の時間間隔（たとえば３０フレーム／毎秒＝30fps）で繰り返し取得されるモニタ用画像のことをいう。ライブビュー画像はスルー画像とも呼ばれる。
【００１６】
メモリカードインターフェース２１はコネクタ（不図示）を有し、該コネクタにメモリカードなどの記憶媒体５１が接続される。メモリカードインターフェース２１は、接続された記憶媒体５１に対するデータの書き込みや、記憶媒体５１からのデータの読み込みを行う。記憶媒体５１は、半導体メモリを内蔵したメモリカード、またはハードディスクドライブなどで構成される。
【００１７】
操作部材２２は、レリーズボタン２２ａ（図２）および電源on/offスイッチ２２ｂ（図２）を含み、各操作に応じた操作信号をＣＰＵ２０へ送出する。
【００１８】
図２は、電子カメラ１の背面図である。電子カメラ１の背面にはＬＣＤモニタ１７が配設される。ＣＰＵ２０は、ＬＣＤモニタ１７に所定のアイコンを表示させ、ユーザがタッチ操作したアイコンに対応付けられている処理を行う。図２によれば、「撮影」アイコン、「再生」アイコン、および「ＭＥＮＵ」アイコン１７１が表示されている。電子カメラ１の上面には、レリーズボタン２２ａおよび電源on/offスイッチ２２ｂが配設されている。
【００１９】
ＣＰＵ２０は、タッチ操作部材１７ａからの操作信号が「ＭＥＮＵ」アイコン１７１に対応するタッチ位置を示す場合、図３に例示するメニュー画面をＬＣＤモニタ１７に表示させてメニュー処理を行う。また、ＣＰＵ２０は、タッチ操作部材１７ａからの操作信号が「撮影」アイコンに対応するタッチ位置を示す場合、ライブビュー画像をＬＣＤモニタ１７に表示させて撮影待機状態にする。さらにまた、ＣＰＵ２０は、タッチ操作部材１７ａからの操作信号が「再生」アイコンに対応するタッチ位置を示す場合、記憶媒体５１に記録されているデータに基づく再生画像をＬＣＤモニタ１７に表示させる再生処理を行う。
【００２０】
本実施形態は、メニュー処理を行う場合のアイコン表示に特徴を有するので、メニュー処理を中心に以降の説明を行う。
【００２１】
ＣＰＵ２０は、図３のメニュー画面をＬＣＤモニタ１７に表示させる場合、画面の略中央にメニューウィンドウ３１を表示させるとともに、「ＨＯＭＥ」アイコン、「ＢＡＣＫ」アイコン、「ＭＥＮＵ」アイコン、および「ＤＩＳＰ」アイコンをメニューウィンドウ３１の外側に表示させる。ＣＰＵ２０はさらに、メニュー用ウィンドウ３１の内側に、たとえば４種のアイコン「表情モード」、「検出レベル」、「被写体優先」、および「性別優先」を、それぞれ表示させる。
【００２２】
＜アイコン通常表示＞
電子カメラ１は、ライブビュー画像に基づいて所定の表情を検出したことを契機に自動的に撮影処理を開始する自動レリーズモードを有している。メニューウィンドウ３１は、自動レリーズモードに設定された場合のＣＰＵ２０が自動的に撮影処理を開始する条件を設定するための操作画面である。
【００２３】
「表情モード」アイコンは、ライブビュー画像に基づいて検出する「表情」を設定するためのアイコンである。たとえば、「スマイル」に設定された場合のＣＰＵ２０は、ライブビュー画像に基づいて「笑顔（スマイル）」を検出したことを契機に撮影処理を開始する。「表情」の設定は、「スマイル」以外に「怒り顔」、「泣き顔」が選択可能に構成されている。
【００２４】
「検出レベル」アイコンは、ライブビュー画像に基づいて「表情」を検出する検知レベルを設定するためのアイコンである。ＣＰＵ２０は、たとえば「スマイル」の検知レベルが「弱」にされている場合は「大笑い」している「表情」を検出し、「スマイル」の検知レベルが「強」にされている場合は「微笑み」している「表情」を検出する。
【００２５】
「被写体優先」アイコンは、ライブビュー画像に基づいて「表情」を検出する優先人物を設定するためのアイコンである。ＣＰＵ２０は、たとえば「おとな」に設定されている場合は「おとな」の表情検出を優先する。「被写体優先」の設定は、「おとな」以外に「こども」、「赤ちゃん」が選択可能に構成されている。
【００２６】
「性別優先」アイコンは、ライブビュー画像に基づいて「表情」を検出する場合の優先すべき性別を設定するためのアイコンである。ＣＰＵ２０は、たとえば「女性」に設定されている場合は「女性」の表情検出を優先する。「性別優先」の設定は、「女性」以外に「男性」が選択可能に構成されている。
【００２７】
図３に例示するメニューウィンドウ３１は、「表情モード」アイコンが選択されている状態を示す。ＣＰＵ２０は、「表情モード」アイコンの表示位置がタッチ操作された場合に該「表情モード」アイコンを選択し、メニューウィンドウ３１の上部の帯部分に「表情モード」と表示させる。ＣＰＵ２０はさらに、選択操作受け付け中であることを示すため、「表情モード」に設定されている「スマイル」アイコン表示を反転表示させる。ＣＰＵ２０は、たとえば、「スマイル」アイコンの表示位置がタッチ操作されるごとに、「スマイル」→「怒り顔」→「泣き顔」にアイコン表示をサイクリックに切り替える。ＣＰＵ２０は、このようにメニュー操作を受け付ける。
【００２８】
＜アイコン表示制限＞
ＣＰＵ２０は、メニューウィンドウ３１の内側に表示する４種のアイコン「表情モード」、「検出レベル」、「被写体優先」、および「性別優先」のうち、選択頻度が所定値より低いアイコンを表示しないようにアイコンの表示制限を行う。図４は、表示するアイコン数を減少させた状態を説明する図である。図４において、ＣＰＵ２０は、メニュー用ウィンドウ３１の内側の上記４種のアイコンのうち、選択頻度が低い「被写体優先」アイコンおよび「性別優先」アイコンの表示を省略するとともに、「表情モード」アイコンおよび「検出レベル」アイコンを通常表示時より大きく表示する。
【００２９】
＜アイコン制御処理＞
アイコンの表示制限を行うためにＣＰＵ２０が行うアイコン制御処理の詳細について、図５に例示するフローチャートを参照して説明する。ＣＰＵ２０は、図５による処理をタイマー割り込み処理として所定時間ごとに起動させる。図５のステップＳ１において、ＣＰＵ２０は、アイコン減少中か否かを判定する。ＣＰＵ２０は、メニューウィンドウ３１内に表示するアイコン数を減少させている場合にステップＳ１を肯定判定してステップＳ９へ進む。ＣＰＵ２０は、メニューウィンドウ３１内に表示するアイコン数を減少させていない場合にはステップＳ１を否定判定し、ステップＳ２へ進む。
【００３０】
ステップＳ２において、ＣＰＵ２０は所定時間が経過したか否かを判定する。ＣＰＵ２０は、内蔵するタイマー回路による計時時間が所定時間（たとえば１０分）に達した場合にステップＳ２を肯定判定してステップＳ５へ進む。ＣＰＵ２０は、計時時間が１０分に達しない場合にはステップＳ２を否定判定し、ステップＳ３へ進む。ＣＰＵ２０は、電源on/offスイッチ２２ｂのオン操作時、および後述するステップＳ８、Ｓ１４、Ｓ１５において、計時時間をそれぞれリセットするように構成されている。
【００３１】
ステップＳ３において、ＣＰＵ２０は、撮影枚数が所定枚数に達したか否かを判定する。ＣＰＵ２０は、アイコン制御のために計数する撮影枚数が所定枚数（たとえば３０枚）に達した場合にステップＳ３を肯定判定してステップＳ５へ進む。ＣＰＵ２０は、上記撮影枚数が３０枚に達しない場合にはステップＳ３を否定判定し、ステップＳ４へ進む。ＣＰＵ２０は、電源on/offスイッチ２２ｂのオン操作時、および後述するステップＳ８、Ｓ１４、Ｓ１５において、アイコン制御のために計数する撮影枚数の計数値をリセットするように構成されている。
【００３２】
ステップＳ４において、ＣＰＵ２０は、アイコンの総タッチ操作回数が所定回数に達したか否かを判定する。ＣＰＵ２０は、アイコン制御のために計数する総タッチ操作回数が所定回数（たとえば２０回）に達した場合にステップＳ４を肯定判定してステップＳ５へ進む。ＣＰＵ２０は、上記総タッチ操作回数が２０回に達しない場合にはステップＳ４を否定判定し、図５による処理を終了する。ＣＰＵ２０は、電源on/offスイッチ２２ｂのオン操作時、および後述するステップＳ８、Ｓ１４、Ｓ１５において、アイコン制御のために計数する総タッチ操作回数の計数値をリセットするように構成されている。本ステップで用いるために計数する総タッチ操作回数は、自動レリーズモードに設定された場合の撮影処理開始条件を設定するためのタッチ操作に限らず、他の条件設定のためのタッチ操作も含める。
【００３３】
ステップＳ５において、ＣＰＵ２０は、使用頻度が少ないことによって表示制限の対象とするアイコンが存在するか否かを判定する。ＣＰＵ２０は、メニューウィンドウ３１の内側に表示する４種のアイコン「表情モード」、「検出レベル」、「被写体優先」、および「性別優先」のうち、アイコンごとに計数するタッチ操作回数が所定回数（たとえば３回）以下であるアイコンが存在する場合にステップＳ５を肯定判定してステップＳ６へ進む。ＣＰＵ２０は、上記アイコンごとのタッチ操作回数が３回以下のアイコンが存在しない場合にはステップＳ５を否定判定し、ステップＳ１５へ進む。ＣＰＵ２０は、電源on/offスイッチ２２ｂのオン操作時、および後述するステップＳ８、Ｓ１４、Ｓ１５において、本ステップで用いるため上記アイコンごとに計数するタッチ操作回数の計数値をリセットするように構成されている。
【００３４】
なお、ＣＰＵ２０は、表示制限の対象とするアイコンが多数存在する場合には、少なくとも１つのアイコンを残す。たとえば、全てのアイコンのタッチ操作回数が３回以下の場合は、その中でタッチ操作回数が最多のアイコンを残す。全てのアイコンのタッチ操作回数が同数の場合には、メニュー用のウィンドウ３１内で一番上に表示されているアイコンを残す。少なくとも表示を残すアイコン数は、適宜変更して構わない。
【００３５】
ステップＳ６において、ＣＰＵ２０は、メニューウィンドウ３１内に表示するアイコン数の減少（たとえば、図４に示す表示）を指示してステップＳ７へ進む。ステップＳ７において、ＣＰＵ２０は、メニューウィンドウ３１内に表示するアイコンのサイズアップ（たとえば、図４に示す表示）を指示してステップＳ８へ進む。
【００３６】
ステップＳ８において、ＣＰＵ２０は、ステップＳ２で用いる計時時間、ステップＳ３で用いる撮影枚数の計数値、ステップＳ４で用いる総タッチ操作回数の計数値、およびステップＳ５で用いるアイコンごとのタッチ操作回数の計数値を、それぞれリセットしてステップＳ９へ進む。
【００３７】
ステップＳ９において、ＣＰＵ２０は、表示するアイコン数を減少させてからの経過時間が所定時間に達したか否かを判定する。ＣＰＵ２０は、経過時間が所定時間（たとえば１時間）経過した場合にステップＳ９を肯定判定してステップＳ１２へ進む。ＣＰＵ２０は、経過時間が１時間に満たない場合にはステップＳ９を否定判定し、ステップＳ１０へ進む。
【００３８】
ステップＳ１０において、ＣＰＵ２０は、表示するアイコン数を減少させてからの撮影枚数が所定枚数に達したか否かを判定する。ＣＰＵ２０は、アイコン制御のために計数する表示アイコン減少後の撮影枚数が所定枚数（たとえば１０枚）に達した場合にステップＳ１０を肯定判定してステップＳ１２へ進む。ＣＰＵ２０は、上記撮影枚数が１０枚に達しない場合にはステップＳ１０を否定判定し、ステップＳ１１へ進む。ＣＰＵ２０は、後述するステップＳ１４において、表示アイコン減少後の撮影枚数の計数値をリセットするように構成されている。
【００３９】
ステップＳ１１において、ＣＰＵ２０は、ダブルタッチ操作されたか否かを判定する。ＣＰＵ２０は、たとえば、メニューウィンドウ３１の外側が０．５秒以内に２回以上タッチ操作された場合にステップＳ１１を肯定判定してステップＳ１２へ進む。ＣＰＵ２０は、メニューウィンドウ３１の外側が０．５秒以内に２回以上タッチ操作されない場合にはステップＳ１１を否定判定し、図５による処理を終了する。
【００４０】
ステップＳ１２において、ＣＰＵ２０は、メニューウィンドウ３１内に表示するアイコンサイズを元に戻すように指示してステップＳ１３へ進む。ステップＳ１３において、ＣＰＵ２０は、メニューウィンドウ３１内に表示するアイコン数を元に戻す（すなわち、ステップＳ６でアイコン数の減少のために消去したアイコンの表示を復帰させる）ように指示して、ステップＳ１４へ進む。これにより、図４の表示画面から図３の表示画面に戻ることになる。
【００４１】
ステップＳ１４において、ＣＰＵ２０は、ステップＳ９で用いる計時時間、ステップＳ１０で用いる撮影枚数の計数値を、それぞれリセットして図５による処理を終了する。
【００４２】
上述したステップＳ５を否定判定して進むステップＳ１５において、ＣＰＵ２０は、ステップＳ２で用いる計時時間、ステップＳ３で用いる撮影枚数の計数値、ステップＳ４で用いる総タッチ操作回数の計数値、およびステップＳ５で用いるアイコンごとのタッチ操作回数の計数値を、それぞれリセットして図５による処理を終了する。
【００４３】
以上説明した実施形態によれば、次の作用効果が得られる。
（１）電子カメラ１のＣＰＵ２０は、操作位置に応じて異なる操作信号を発するタッチ操作部材１７ａと、アイコンを表示するＬＣＤモニタ１７と、複数の操作位置ごとに対応付けられている機能を示す複数のアイコンをそれぞれ表示するようにＬＣＤモニタ１７を制御し、操作位置ごとにタッチ操作部材１７ａの操作回数を計数し、タッチ操作部材１７ａが発する操作信号、および所定の経過時間の少なくとも一方が所定の減少条件を満たした場合に、計数結果に応じて機能を示すアイコンの数を削減し、アイコンの数を削減した以降の経過時間が所定の第１復帰条件を満たした場合にアイコンの数を復帰するようにした。これにより、自動的に表示が削減されたアイコンに対応付けられている機能を忘れても、削減されたアイコンの表示が自動的に復帰されるので、忘れたままで当該機能を使えないという事態を避けることができる。
【００４４】
（２）ＣＰＵ２０は、アイコンの数を削減する場合に、残されるアイコンのサイズを大きく変更するようにＬＣＤモニタ１７を表示制御したので、残ったアイコンの視認性が向上して使いやすくなる。
【００４５】
（３）ＣＰＵ２０は、アイコンの数を削減する場合に、少なくとも所定数の表示を残すようにＬＣＤモニタ１７を表示制御したので、表示されるアイコンが０になることが避けられる。
【００４６】
（４）ＣＰＵ２０は、アイコンの数を復帰した以降に、再び操作部材１７ａが発する操作信号、および所定の経過時間の少なくとも一方が所定の減少条件を満たした場合に、計数結果に応じて機能を示すアイコンの数を削減するようにしたので、使用頻度が低いアイコンを再び表示しないようにすることができる。
【００４７】
（５）ＣＰＵ２０は、復帰するアイコンの態様を削減する前のアイコンの態様と異ならせるようにしたので、一旦減らされた後に復帰されたアイコンであることを区別できる。
【００４８】
（６）ＣＰＵ２０は、操作部材１７ａが発する操作信号が所定の第２復帰条件を満たした場合には、経過時間が第１復帰条件を満たす前でもアイコンの数を復帰するようにしたので、必要な場合はただちにアイコン表示を復帰させることができる。
【００４９】
（変形例１）
上述したステップＳ１２において、メニューウィンドウ３１内に表示するアイコンサイズを元に戻すように指示する前に、「非表示のアイコンを表示させますか？」というメッセージと、「はい」および「いいえ」を示すアイコンとをＬＣＤモニタ１７に表示させてもよい。この場合のＣＰＵ２０は、メッセージをＬＣＤモニタ１７に表示中に「はい」アイコンがタッチ操作された場合にステップＳ１２以降の処理を行う。ＣＰＵ２０は、上記メッセージをＬＣＤモニタ１７に表示中に「いいえ」アイコンがタッチ操作された場合には、ステップＳ１２およびステップＳ１３をスキップしてステップＳ１４へ進む。
【００５０】
（変形例２）
ステップＳ１３において表示を復帰させるアイコンは、その表示色をステップＳ６で消去する前の通常の表示態様と異ならせるようにしてもよい（たとえば、消去前と色を変える、消去前より表示サイズを小さくする、消去前より表示輝度を落とす）。また、復帰させるアイコンの表示順位は、元の位置に限らず、下位に復帰表示させてもよい。
【００５１】
（変形例３）
ステップＳ１１におけるダブルタッチ操作の代わりに、ロングタッチ操作の有無に応じてステップＳ１２へ進むか否かを判断させてもよい。この場合のＣＰＵ２０は、たとえば、メニューウィンドウ３１の外側が３秒以上継続してタッチ操作された場合にステップＳ１１を肯定判定してステップＳ１２へ進む。
【００５２】
（変形例４）
上述した判定処理に用いる各計時時間、各撮影枚数、および各タッチ操作回数は、上述した値に限らず、適宜変更した値を用いてもよい。また、これらの値をユーザが設定できるように構成してもよい。
【００５３】
（変形例５）
上記計時時間や計数値は、必要に応じて電子カメラ１の電源オフ時にも保持するようにしてもよい。電源オフ時も保持させる場合は、フラッシュメモリ１９へ格納する。
【００５４】
（変形例６）
以上の説明では、タッチ操作部材１７ａを操作する場合のアイコン表示を例に説明したが、ＬＣＤモニタ１７の表示画面の端に操作ボタンを配設し、このボタンの機能を示すアイコンを該ＬＣＤモニタ１７（たとえば操作ボタンの近傍領域）に表示させる場合にも、本発明を適用して構わない。
【００５５】
（変形例６）
電子カメラ１を例に説明したが、タッチ操作部材（または操作ボタン）とＬＣＤモニタ１７のような表示部材とを備える電子機器であれば、携帯電話機やゲーム機器、映像（音楽）再生機、ナビゲーション機器などにも本発明を適用できる。
【００５６】
以上の説明はあくまで一例であり、上記の実施形態の構成に何ら限定されるものではない。
【符号の説明】
【００５７】
１…電子カメラ
１７…ＬＣＤモニタ
１７ａ…タッチ操作部材
２０…ＣＰＵ
２２…操作部材
【図１】
2010176460.tif 000003
【図２】
2010176460.tif 000004
【図３】
2010176460.tif 000005
【図４】
2010176460.tif 000006
【図５】
2010176460.tif 000007